(57)【要約】【課題】意匠のバリエーションに富んだ加飾パネルを提供する。立体感や奥行き感が向上する加飾パネルを提供する。【解決手段】車両の内装材としての加飾パネル１０であって、光を透過可能な板状の内側パネル部１６と、内側パネル部１６の車室外側に対向して配された板状の外側パネル部１７と、内側パネル部１６を透過する光に対して、自身の透過率と反射率とを変化可能な構成とされる調光部材２０と、を有し、少なくとも内側パネル部１６及び外側パネル部１７のうちいずれか一方には、調光部材２０が貼設されている。【選択図】図３
2020093682.tif 000002
【特許請求の範囲】
【請求項１】
乗物の内装材としての加飾パネルであって、
光を透過可能な板状の内側パネル部と、
前記内側パネル部の乗物室外側に対向して配された板状の外側パネル部と、
前記内側パネル部を透過する光に対して、自身の透過率と反射率とを変化可能な構成とされる調光部材と、を有し、
少なくとも前記内側パネル部及び前記外側パネル部のうちいずれか一方には、前記調光部材が貼設されていることを特徴とする加飾パネル。
【請求項２】
前記内側パネル部及び前記外側パネル部には、前記調光部材が乗物室内外方向において重なる位置で貼設されていることを特徴とする請求項１に記載の加飾パネル。
【請求項３】
前記内側パネル部を透過する光を反射させる反射部材を有し、
前記外側パネル部には、その板面方向において前記反射部材と前記調光部材とが交互に貼設されていることを特徴とする請求項１または請求項２に記載の加飾パネル。
【請求項４】
前記内側パネル部を透過する光を反射させる反射部材を有し、
前記内側パネル部には、前記調光部材が貼設され、
前記外側パネル部には、前記反射部材が貼設されていることを特徴とする請求項１に記載の加飾パネル。
【請求項５】
前記調光部材は、
調光極と、
前記調光極に対向して配された対向極と、
少なくとも銀イオンを含む液状の電解質を有し、前記調光極と前記対向極とが接触した銀メッキ浴部と、を備え、
通電による前記調光極における銀被膜の可逆的な形成及び溶出によって、自身の透過率と反射率とを変化可能な構成とされることを特徴とする請求項１から請求項４のいずれか１項に記載の加飾パネル。
【発明の詳細な説明】
【技術分野】
【０００１】
本発明は、加飾パネルに関する。
【背景技術】
【０００２】
従来、加飾パネルとして、特許文献１に記載のものが知られている。具体的には、特許文献１には、紫外光によって励起されて蛍光により発光する発光部４１を有する加飾パネル４０と、加飾パネル４０に対して紫外光を照射可能な紫外光ＬＥＤ３１と、加飾パネル４０に対して可視光を照射可能な可視光ＬＥＤ３２と、を備え、加飾パネル４０に対して紫外光ＬＥＤ３１からの紫外光と可視光ＬＥＤ３２からの可視光とが照射されることで、発光部４１から車室内に向かって、紫外光による発光の光と可視光の少なくとも一部とが照射される構成である照明装置３０が開示されている。
【先行技術文献】
【特許文献】
【０００３】
【特許文献１】特開２０１７−９５０４６号公報
【発明の概要】
【発明が解決しようとする課題】
【０００４】
しかしながら、特許文献１に開示の構成では、発光する位置（部材）が変わらないため、意匠のバリエーションが限られる。従って、例えば、光を段階的に調光したり、時間や状況によって意匠を変化させたりすることができれば、意匠のバリエーションが広がる。一方、加飾パネルの省スペース化を図ろうとすると、その厚みを小さくしなければならないことがあり、その場合、加飾パネルの立体感や奥行き感が低下してしまう。
【０００５】
本発明は上記のような事情に基づいて完成されたものであって、意匠のバリエーションに富んだ加飾パネルを提供することを目的の一つとする。また、立体感や奥行き感が向上する加飾パネルを提供することをさらなる目的の一つとする。
【課題を解決するための手段】
【０００６】
本発明は、
乗物の内装材としての加飾パネルであって、
光を透過可能な板状の内側パネル部と、
前記内側パネル部の乗物室外側に対向して配された板状の外側パネル部と、
前記内側パネル部を透過する光に対して、自身の透過率と反射率とを変化可能な構成とされる調光部材と、を有し、
少なくとも前記内側パネル部及び前記外側パネル部のうちいずれか一方には、前記調光部材が貼設されていることに特徴を有する。
【０００７】
このような加飾パネルによると、調光部材の透過率と反射率とを変化させることで、加飾パネルから乗物室内側に出射する光を複数のパターンに変化させることができる。例えば、調光部材の透過率の変化により、内側パネル部と外側パネル部との間に取り込む光を調整することができ、調光部材の反射率の変化により、光が反射する位置（内側パネル部側か外側パネル部側か）を調整することができる。そして、当該光が段階的に明るく（又は暗く）なるように調光（グラデーション）することができたり、昼夜間や緊急時に見栄えを変えたりすることができる。即ち、時間や状況によって意匠を変化させることができる。
【０００８】
上記構成において、
前記内側パネル部及び前記外側パネル部には、前記調光部材が乗物室内外方向において重なる位置で貼設されていることとすることができる。
【０００９】
このような加飾パネルによると、重ねて貼設された調光部材の透過率と反射率とをそれぞれ変化させることができる。従って、内側パネル部を透過する光を、内側パネル部側又は外側パネル部側で任意に反射させることができたり、内側パネル部を透過する光を、内側パネル部と外側パネル部との間で複数回反射させたりすることができる。これにより、立体的で奥行き感のある照明態様を実現することができる。
【００１０】
また、上記構成において、
前記内側パネル部を透過する光を反射させる反射部材を有し、
前記外側パネル部には、その板面方向において前記反射部材と前記調光部材とが交互に貼設されていることとすることができる。
【００１１】
このような加飾パネルによると、調光部材の反射率を低くした場合であっても、反射部材によって内側パネル部を透過する光を反射させることができる。これにより、比較的厚みが小さい加飾パネルであっても、立体的で奥行き感のある照明態様を実現することができる。また、外側パネル部には、その板面方向において反射部材と調光部材とが交互に貼設されているので、加飾パネルで演出できる模様のバリエーションを増やすことができる。
【００１２】
また、上記構成において、
前記内側パネル部を透過する光を反射させる反射部材を有し、
前記内側パネル部には、前記調光部材が貼設され、
前記外側パネル部には、前記反射部材が貼設されていることとすることができる。
【００１３】
このような加飾パネルによると、内側パネル部に貼設された調光部材において、透過率を高く、反射率を低くした場合は、反射部材によって内側パネル部を透過する光を乗物室内側へ反射させることができ、透過率を低く、反射率を高くした場合は、当該調光部材によって内側パネル部を透過する光を乗物室内側へ反射させることができる。これにより、内側パネル部に貼設された調光部材の透過率と反射率とを変化させるだけで、立体的で奥行き感のある照明態様を実現することができる。
【００１４】
また、上記構成において、
前記調光部材は、
調光極と、
前記調光極に対向して配された対向極と、
少なくとも銀イオンを含む液状の電解質を有し、前記調光極と前記対向極とが接触した銀メッキ浴部と、を備え、
通電による前記調光極における銀被膜の可逆的な形成及び溶出によって、自身の透過率と反射率とを変化可能な構成とされることとすることができる。
【００１５】
このような構成によると、通電による調光極における銀被膜の可逆的な形成及び溶出により、透過率と反射率とを変化可能な調光部材を備える実用的な乗物の内装材（加飾パネル）を提供することができる。
【発明の効果】
【００１６】
本発明によれば、意匠のバリエーションに富んだ加飾パネルを提供することが可能となる。また、立体感や奥行き感が向上する加飾パネルを提供することが可能となる。
【図面の簡単な説明】
【００１７】
【図１】実施形態１に係る車両の室内前側部分を車室内側から視た図
【図２】右側のドアトリムに取り付けられた加飾パネルを示す図
【図３】右側の加飾パネルの断面図（図２のＩＩＩ−ＩＩＩ線断面）
【図４】調光部材を示す説明図
【図５】実施形態２に係る車両の右側の加飾パネルの断面図
【図６】実施形態３に係る車両の右側の加飾パネルの断面図
【図７】変形例１に係る車両の右側の加飾パネルの断面図
【図８】変形例２に係る車両の右側の加飾パネルの断面図
【発明を実施するための形態】
【００１８】
＜実施形態１＞
本発明の実施形態１を図１から図４によって説明する。本実施形態においては、車両（乗物）１の内装材としての加飾パネル１０を説明する。なお、矢印方向Ｌを左方、矢印方向Ｒを右方、矢印方向ＦＲを前方、矢印方向ＲＲを後方、矢印方向ＵＰを上方、矢印方向ＤＷを下方、矢印方向ＩＮを車室内側、矢印方向ＯＵＴを車室外側として説明する。
【００１９】
図１に示すように、車両１は、その車室内の前側において、運転席側（右側）にステアリングホイール７や助手席側（左側）にグローブボックス８を有するインストルメントパネル２、左右のドアパネルに車室内側から取り付けられたドアトリム３，３、乗員が着座するためのシート（運転席及び助手席）４，４等の内装材を備える。以降は、右側のドアトリム３における各部材について説明するが、左側のドアトリム３における各部材ついても同様の構成であるものとする。
【００２０】
右側のドアトリム３には、ドアを車室内側から開閉するためのドアインサイドハンドル５、スピーカを保護するためのスピーカグリル６、車室内の意匠性を向上させるための加飾パネル１０等が取り付けられている。図１及び図２に示すように、加飾パネル１０は、車両前後方向に延在する長板状の部材であって、車室前方に向かうほど車室内側に曲がった形をなしている。
【００２１】
図２に示すように、加飾パネル１０は、前側に延在し、所定の映像を表示する表示部１１と、表示部１１の後方に延在し、光の透過や反射によって加飾される加飾部１２と、を有する。表示部１１は、いわゆるリアプロジェクションタイプの表示装置とされており、車両１の後方の視界（図１参照）を映すことで、電子サイドミラーとして用いることができる。
【００２２】
図２及び図３に示すように、加飾部１２は、上下方向における中央にて車両前後方向に延在する頂部１３を有している。加飾部１２は、その上下側の部分１４，１５から頂部１３に向かうほど、車室内側に膨出した形をなしている。加飾部１２は、光を透過可能な板状の内側パネル部１６と、内側パネル部１６の車室外側に対向して配された板状の外側パネル部１７と、によって構成される２重構造をなし、後述する調光部材２０や反射部材３０を内包するハウジング部材とされている。
【００２３】
内側パネル部１６は、その内側において、車室外側に山型をなす複数の山部と、車室内側に谷型をなす複数の谷部とが上下方向に交互に並んで配されている。これにより、内側パネル部１６を透過する光を乱反射させて、加飾部１２の意匠性を向上することができる。なお、内側パネル部１６の素材としては、例えば、アクリル樹脂、スチレン樹脂、ポリエステル樹脂、ポリプロピレン樹脂、ＰＥＴ樹脂等からなる透明な樹脂パネルを採用することができる。
【００２４】
加飾部１２は、内側パネル部１６の内側面（車室外側を向く面）及び外側パネル部１７の内側面（車室内側を向く面）においてそれぞれが対向するように貼設された（車室内外方向において重なる位置で貼設された）複数の調光部材２０と、外側パネル部１７の内側面に貼設された複数の反射部材３０と、を有する。内側パネル部１６の内側面においては、その全面に亘って調光部材２０が貼設されている。一方、外側パネル部１７の内側面においては、その板面方向において、複数の調光部材２０と複数の反射部材３０とが所定間隔にて交互に貼設されている。調光部材２０及び反射部材３０は、車室内側から視た場合、加飾パネル１０の形状に倣うように、車室前方に向かうほど車室内側に曲がった複数のストライプ状をなしている（図２参照）。
【００２５】
調光部材２０は、内側パネル部１６を透過する光に対して、自身の透過率と反射率とを変化可能な構成とされている（詳細は後述する）。複数の反射部材３０は、例えば、銀やアルミニウム等の金属膜が蒸着（貼設）されてなるものであって、内側パネル部１６を透過する光を反射可能な構成とされる。
【００２６】
続いて、調光部材２０について図４を用いて説明する。なお、数値範囲について「〜」を用いた記載では、特に断りが無い限り、下限値及び上限値を含むものとする。例えば、「１０〜２０」という記載では、下限値である「１０」、上限値である「２０」のいずれも含むものとする。
【００２７】
調光部材２０は、調光極２１と、調光極２１に対向して配された対向極２２と、調光極２１及び対向極２２の両側の端部を繋いでシールするシール部材２４，２４と、を備える。また、調光部材２０は、調光極２１、対向極２２、及びシール部材２４，２４によって囲まれた銀メッキ浴部２３を備える。銀メッキ浴部２３には、イオン液体、有機溶媒、銀イオン、及びクエン酸を含む液状の電解質が満たされている。調光極２１と対向極２２は、その内側が銀メッキ浴部２３の電解質に接触している。調光部材２０は、通電による調光極２１における銀被膜の可逆的な形成及び溶出によって、自身の透過率と反射率とを変化可能な構成とされている。
【００２８】
調光極２１としては、例えば、スズドープ酸化インジウム（ＩＴＯ）、フッ素ドープ酸化スズ（ＦＴＯ）等の透明導電膜を、無機ガラスや樹脂ガラス等の透明基板上に形成させたものを採用することができる。透明電極の表面に、パラジウムナノ微粒子を付着させてもよい。調光極２１に銀被膜を形成させたときに、高い反射率を得ることができるからである。対向極２２としては、銀、ＩＴＯ、ＦＴＯ等からなる電極を採用することができる。
【００２９】
イオン液体とは、常温（２５℃）において液体の状態にあり、カチオン部とアニオン部からなるイオン性物質のことを示す。イオン液体のカチオン部としては、例えば、窒素数１〜３個の５〜６員環化合物のオニウムカチオン、第四級アンモニウムカチオン、及び第四級ホスホニウムカチオンからなる群より選択することができる。窒素数１〜３個の５〜６員環化合物のオニウムカチオンとしては、例えば、イミダゾリウムカチオン、ピロリジニウムカチオン等の５員環化合物や、ピリジニウムカチオン、ピペリジニウムカチオン等の６員環化合物を採用することができる。これらの中でも、イミダゾリウムカチオンが好ましい。イミダゾリウムカチオンは、融点が低く液状になりやすいからである。
【００３０】
イミダゾリウムカチオンとしては、例えば、下記一般式（１）の構造を有するもの採用することができる。
【化１】
2020093682.tif 000003
〔式（１）中、Ｒ１、Ｒ２、Ｒ３、Ｒ４、Ｒ５は、それぞれ独立して、
水素原子、
置換されているかもしくは非置換の炭素数１〜２０の飽和もしくは不飽和の直鎖状、分枝状、もしくは環状のアルキル基、
置換されているかもしくは非置換の炭素数６〜３０のアリール基、
置換されているかもしくは非置換の炭素数７〜３１のアリールアルキル基、又は
炭素数１〜２０のアルコキシ基であり、
前記アルキル基、前記アリール基又は前記アリールアルキル基が置換されている場合は、ハロゲン原子、アルキル基、アリール基、アルコキシ基、アリールオキシ基、アルコキシカルボニル基、アシルオキシ基、アシル基、アルキルスルファニル基、アリールスルファニル基、アルキルアミノ基、ジアルキルアミノ基、アリールアミノ基、ヒドロキシ基、カルボキシ基、ホルミル基、メルカプト基、スルホ基、メシル基、ｐ−トルエンスルホニル基、アミノ基、ニトロ基、シアノ基、トリフルオロメチル基、トリクロロメチル基、トリメチルシリル基、ホスフィニコ基、又はホスホノ基で置換されている。〕
【００３１】
化学式（１）中のＲ１、Ｒ２、Ｒ３、Ｒ４、Ｒ５として用いられる置換されているもしくは非置換の炭素数１〜２０の飽和もしくは不飽和の直鎖状、分枝状、もしくは環状のアルキル基としては、メチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、イソアミル基、ｔｅｒｔ−ペンチル基、ネオペンチル基、ｎ−へキシル基、３−メチルペンタン−２−イル基、３−メチルペンタン−３−イル基、４−メチルペンチル基、４−メチルペンタン−２−イル基、１，３−ジメチルブチル基、３，３−ジメチルブチル基、３，３−ジメチルブタン−２−イル基、ｎ−ヘプチル基、１−メチルヘキシル基、３−メチルヘキシル基、４−メチルヘキシル基、５−メチルヘキシル基、１−エチルペンチル基、１−（ｎ−プロピル）ブチル基、１，１−ジメチルペンチル基、１，４−ジメチルペンチル基、１，１−ジエチルプロピル基、１，３，３−トリメチルブチル基、１−エチル−２，２−ジメチルプロピル基、ｎ−オクチル基、２−メチルヘキサン−２−イル基、２，４−ジメチルペンタン−３−イル基、１，１−ジメチルペンタン−１−イル基、２，２−ジメチルヘキサン−３−イル基、２，３−ジメチルヘキサン−２−イル基、２，５−ジメチルヘキサン−２−イル基、２，５−ジメチルヘキサン−３−イル基、３，４−ジメチルヘキサン−３−イル基、３，５−ジメチルヘキサン−３−イル基、１−メチルヘプチル基、２−メチルヘプチル基、５−メチルヘプチル基、２−メチルヘプタン−２−イル基、３−メチルヘプタン−３−イル基、４−メチルヘプタン−３−イル基、４−メチルヘプタン−４−イル基、１−エチルヘキシル基、２−エチルヘキシル基、１−プロピルペンチル基、２−プロピルペンチル基、１，１−ジメチルヘキシル基、１，４−ジメチルヘキシル基、１，５−ジメチルヘキシル基、１−エチル−１−メチルペンチル基、１−エチル−４−メチルペンチル基、１，１，４−トリメチルペンチル基、２，４，４−トリメチルペンチル基、１−イソプロピル−１，２−ジメチルプロピル基、１，１，３，３−テトラメチルブチル基、ｎ−ノニル基、１−メチルオクチル基、６−メチルオクチル基、１−エチルヘプチル基、１−（ｎ−ブチル）ペンチル基、４−メチル−１−（ｎ−プロピル）ペンチル基、１，５，５−トリメチルヘキシル基、１，１，５−トリメチルヘキシル基、２−メチルオクタン−３−イル基、ｎ−デシル基、１−メチルノニル基、１−エチルオクチル基、１−（ｎ−ブチル）ヘキシル基、１，１−ジメチルオクチル基、３，７−ジメチルオクチル基、ｎ−ウンデシル基、１−メチルデシル基、１−エチルノニル基、ｎ−ドデシル基、ｎ−トリデシル基、ｎ−テトラデシル基、１−メチルトリデシル基、ｎ−ペンタデシル基、ｎ−ヘキサデシル基、ｎ−ヘプタデシル基、ｎ−オクタデシル基、ｎ−ノナデシル基、ｎ−エイコシル基、シクロプロピル基、シクロブチル基、シクロペンチル基、シクロヘキシル基、シクロオクチル基等を採用することができる。入手容易性の観点から、置換されているもしくは非置換の炭素数１〜８の飽和もしくは不飽和の直鎖状もしくは分岐状のアルキル基が好ましく、メチル基、エチル基がより好ましい。
【００３２】
化学式（１）中のＲ１、Ｒ２、Ｒ３、Ｒ４、Ｒ５として用いられる置換されているもしくは非置換の炭素数６〜３０のアリール基としては、フェニル基、ビフェニル基、１−ナフチル基、２−ナフチル基、９−アンスリル基、９−フェナントリル基、１−ピレニル基、５−ナフタセニル基、１−インデニル基、２−アズレニル基、９−フルオレニル基、ターフェニル基、クオーターフェニル基、メシチル基、ペンタレニル基、ビナフタレニル基、ターナフタレニル基、クオーターナフタレニル基、ヘプタレニル基、ビフェニレニル基、インダセニル基、フルオランテニル基、アセナフチレニル基、アセアントリレニル基、フェナレニル基、フルオレニル基、アントリル基、ビアントラセニル基、ターアントラセニル基、クオーターアントラセニル基、アントラキノリル基、フェナントリル基、トリフェニレニル基、ピレニル基、クリセニル基、ナフタセニル基、プレイアデニル基、ピセニル基、ペリレニル基、ペンタフェニル基、ペンタセニル基、テトラフェニレニル基、ヘキサフェニル基、ヘキサセニル基、ルビセニル基、コロネニル基、トリナフチレニル基、ヘプタフェニル基、ヘプタセニル基、ピラントレニル基、オバレニル基等を採用することができる。
【００３３】
化学式（１）中のＲ１、Ｒ２、Ｒ３、Ｒ４、Ｒ５として用いられる置換されているもしくは非置換の炭素数７〜３１のアリールアルキル基としては、ベンジル基、フェニルエチル基、３−フェニルプロピル基、１−ナフチルメチル基、２−ナフチルメチル基、２−（１−ナフチル）エチル基、２−（２−ナフチル）エチル基、３−（１−ナフチル）プロピル基、又は３−（２−ナフチル）プロピル基等を採用することができる。
【００３４】
化学式（１）中のＲ１、Ｒ２、Ｒ３、Ｒ４、Ｒ５として用いられる炭素数１〜２０のアルコキシ基としては、メトキシ基、エトキシ基、ｎ−プロポキシ基、ｉ−プロポキシ基、ｎ−ブトキシ基、２−メチルプロポキシ基、１−メチルプロポキシ基、ｔ−ブトキシ基等を採用することができる。これらのなかでも、炭素数１〜４のものが好ましい。
【００３５】
前述した置換されているもしくは非置換の炭素数１〜２０の飽和もしくは不飽和の直鎖状、分枝状、もしくは環状のアルキル基、置換されているもしくは非置換の炭素数６〜３０のアリール基、置換されているもしくは非置換のアリールアルキル基、及びアルキレン基中の水素原子は、更に他の置換基で置換されていてもよい。
【００３６】
そのような置換基としては、フッ素原子、塩素原子、臭素原子、ヨウ素原子などのハロゲン原子、メチル基、エチル基、ｔｅｒｔ−ブチル基、ドデシル基などのアルキル基、フェニル基、ｐ−トリル基、キシリル基、クメニル基、ナフチル基、アンスリル基、フェナントリル基などのアリール基、メトキシ基、エトキシ基、ｔｅｒｔ−ブトキシ基などのアルコキシ基、フェノキシ基、ｐ−トリルオキシ基などのアリールオキシ基、メトキシカルボニル基、ブトキシカルボニル基、フェノキシカルボニルなど等のアルコキシカルボニル基、アセトキシ基、プロピオニルオキシ基、ベンゾイルオキシ基などのアシルオキシ基、アセチル基、ベンゾイル基、イソブチリル基、アクリロイル基、メタクリロイル基、メトキサリル基などのアシル基、メチルスルファニル基、ｔｅｒｔ−ブチルスルファニル基などのアルキルスルファニル基、フェニルスルファニル基、ｐ−トリルスルファニル基などのアリールスルファニル基、メチルアミノ基、シクロヘキシルアミノ基などのアルキルアミノ基、ジメチルアミノ基、ジエチルアミノ基、モルホリノ基、ピペリジノ基などのジアルキルアミノ基、フェニルアミノ基、ｐ−トリルアミノ基等のアリールアミノ基などの他、ヒドロキシ基、カルボキシ基、ホルミル基、メルカプト基、スルホ基、メシル基、ｐ−トルエンスルホニル基、アミノ基、ニトロ基、シアノ基、トリフルオロメチル基、トリクロロメチル基、トリメチルシリル基、ホスフィニコ基、ホスホノ基等を採用することができる。
【００３７】
上記化学式（１）で示されるイミダゾリウムカチオンとしては、合成の容易さの点から、１，３−二置換イミダゾリウムカチオン、１，２，３−三置換イミダゾリウムカチオンが好ましく用いられ、１，３−二置換イミダゾリウムカチオンがより好ましく用いられる。例えば、イミダゾリウムカチオンとしては、１−エチル−３−メチルイミダゾリウムカチオン、１，３−ジメチルイミダゾリウムカチオン、１−メチル−３−プロピルイミダゾリウムカチオン、１−ブチル−３−メチルイミダゾリウムカチオン、１−メチル−３−ペンチルイミダゾリウムカチオン、１−ヘキシル−３−メチルイミダゾリウムカチオン、１−ヘプチル−３−メチルイミダゾリウムカチオン、１−メチル−３−オクチルイミダゾリウムカチオン、１−デシル−３−メチルイミダゾリウムカチオン、１−ドデシル−３−メチルイミダゾリウムカチオン、１−エチル−３−プロピルイミダゾリウムカチオン、１−ブチル−３−エチルイミダゾリウムカチオンなどのジアルキルイミダゾリウムカチオン；３−エチル−１，２−ジメチル−イミダゾリウムカチオン、１，２−ジメチル−３−プロピルイミダゾリウムカチオン、１−ブチル−２，３−ジメチルイミダゾリウムカチオン、１，２−ジメチル−３−ヘキシルイミダゾリウムカチオン、１，２−ジメチル−３−オクチルイミダゾリウムカチオン、１−エチル−３，４−ジメチルイミダゾリウムカチオン、１−イソプロピル−２，３−ジメチルイミダゾリウムカチオンなどのトリアルキルイミダゾリウムカチオン等を採用することができる。
【００３８】
ピロリジニウムカチオンとしては、Ｎ，Ｎ−ジメチルピロリジニウムカチオン、Ｎ−エチル−Ｎ−メチルピロリジニウムカチオン、Ｎ−メチル−Ｎ−プロピルピロリジニウムカチオン、Ｎ−ブチル−Ｎ−メチルピロリジニウムカチオン、Ｎ−メチル−Ｎ−ペンチルピロリジニウムカチオン、Ｎ−ヘキシル−Ｎ−メチルピロリジニウムカチオン、Ｎ−メチル−Ｎ−オクチルピロリジニウムカチオン、Ｎ−デシル−Ｎ−メチルピロリジニウムカチオン、Ｎ−ドデシル−Ｎ−メチルピロリジニウムカチオン、Ｎ−（２−メトキシエチル）−Ｎ−メチルピロリジニウムカチオン、Ｎ−（２−エトキシエチル）−Ｎ−メチルピロリジニウムカチオン、Ｎ−（２−プロポキシエチル）−Ｎ−メチルピロリジニウムカチオン、Ｎ−（２−イソプロポキシエチル）−Ｎ−メチルピロリジニウムカチオン等を採用することができる。
【００３９】
ピリジニウムカチオンとしては、Ｎ−メチルピリジニウムカチオン、Ｎ−エチルピリジニウムカチオン、Ｎ−ブチルピリジニウムカチオン、Ｎ−プロピルピリジニウムカチオンなどの炭素数１〜１６のアルキル基により置換されたピリジニウムカチオン等を採用することができる。
【００４０】
ピペリジニウムカチオンとしては、Ｎ，Ｎ−ジメチルピペリジニウムカチオン、Ｎ−エチル−Ｎ−メチルピペリジニウムカチオン、Ｎ−メチル−Ｎ−プロピルピペリジニウムカチオン、Ｎ−ブチル−Ｎ−メチルピペリジニウムカチオン、Ｎ−メチル−Ｎ−ペンチルピペリジニウムカチオン、Ｎ−ヘキシル−Ｎ−メチルピペリジニウムカチオン、Ｎ−メチル−Ｎ−オクチルピペリジニウムカチオン、Ｎ−デシル−Ｎ−メチルピペリジニウムカチオン、Ｎ−ドデシル−Ｎ−メチルピペリジニウムカチオン、Ｎ−（２−メトキシエチル）−Ｎ−メチルピペリジニウムカチオン、Ｎ−（２−メトキシエチル）−Ｎ−エチルピペリジニウムカチオン、Ｎ−（２−エトキシエチル）−Ｎ−メチルピペリジニウムカチオン、Ｎ−メチル−Ｎ−（２−メトキシフェニル）ピペリジニウムカチオン、Ｎ−メチル−Ｎ−（４−メトキシフェニル）ピペリジニウムカチオン、Ｎ−エチル−Ｎ−（２−メトキシフェニル）ピペリジニウムカチオン、Ｎ−エチル−Ｎ−（４−メトキシフェニル）ピペリジニウムカチオン等を採用することができる。
【００４１】
イオン液体のアニオン部としては、Ｃｌ−、Ｂｒ−、ＡｌＣｌ４−、Ａｌ２Ｃｌ７−、ＢＦ４−、ＰＦ６−、ＣｌＯ４−、ＮＯ３−、ＣＨ３ＣＯＯ−、ＣＦ３ＣＯＯ−、ＣＨ３ＳＯ３−、ＣＦ３ＳＯ３−、（ＣＦ３ＳＯ２）２Ｎ−、（ＣＦ３ＳＯ２）３Ｃ−、ＡｓＦ６−、ＳｂＦ６−、ＮｂＦ６−、ＴａＦ６−、Ｆ（ＨＦ）ｎ−、（ＣＮ）２Ｎ−、ＳＣＮ−、Ｃ４Ｆ９ＳＯ３−、（Ｃ２Ｆ５ＳＯ２）２Ｎ−、Ｃ３Ｆ７ＣＯＯ−、（ＣＦ３ＳＯ２）（ＣＦ３ＣＯ）Ｎ−等のアニオンを採用することができる。これらの中でも、ハロゲン原子を有するアニオンが好ましく、フッ素原子含有アニオンがより好ましく、フッ素含有イミドアニオンがさらに好ましい。
【００４２】
有機溶媒としては、極性溶媒を用いることが好ましい。クエン酸を溶解しやすいからである。極性溶媒としては、例えば、アセトニトリル、エタノール、イソプロパノール、Ｎ，Ｎ−ジメチルホルムアミド（ＤＭＦ）、ジメチルスルホキシド（ＤＭＳＯ）、Ｎ，Ｎ−ジメチルアセトアミド、テトラヒドロフラン（ＴＨＦ）、コハク酸メチルトリグリコールジエステル、アセトン、酢酸等を採用することができ、これらの１種を単独で又は２種以上を組み合わせて用いることができる。
【００４３】
イオン液体と有機溶媒の体積比率は、９０：１０〜１０：９０が好ましく、６０：４０〜４０：６０がより好ましく、５５：４５〜４５：５５がさらに好ましい。イオン液体と有機溶媒の体積比率が上記範囲内の場合、電解質にクエン酸を十分に溶解することができるからである。
【００４４】
銀イオン源としては、硝酸銀、硫酸銀等を採用することができる。電解質中の銀イオンの濃度は、０．０１〜２．０Ｍが好ましく、０．０２〜０．８Ｍがより好ましく、０．１〜０．３Ｍがさらに好ましい。銀イオンの濃度が上記範囲内となるように調整すると、銀被膜の可逆的な形成及び溶出のために電解質に流すことが可能な電流量を十分に確保できるからである。
【００４５】
電解質にクエン酸を含むことで、通電による調光極２１における銀被膜の可逆的な形成及び溶出が可能となる。また、電解質にクエン酸を含むことで、銀結晶が面状に成長し、調光極２１に形成される銀被膜が、美しい鏡面光沢を呈することができると推測される。なお、クエン酸（クエン酸一水和物）の濃度は、０．５〜１０００ｍＭが好ましく、５〜２５０ｍＭがより好ましく、２０〜１００ｍＭがさらに好ましい。これにより、銀被膜の形成及び溶出を十分に行うことができ、調光部材２０の透過率と反射率とを好適に変化させることができるからである。
【００４６】
調光極２１が負極、対向極２２が正極となるように電源２５に接続して通電すると、電解質中の銀イオンが還元され、調光極２１に銀被膜が形成する。これにより、調光部材２０の透過率が低くなり、反射率が高くなる。一方、調光極２１が正極、対向極２２が負極となるように、電源２５に接続して通電すると、調光極２１に形成されていた銀被膜が酸化され、銀イオンとして電解質中に溶出する。これにより、調光部材２０の透過率が高くなり、反射率が低くなる。
【００４７】
続いて、本実施形態の効果について説明する。本実施形態では、車両の内装材としての加飾パネル１０が、光を透過可能な板状の内側パネル部１６と、内側パネル部１６の車室外側に対向して配された板状の外側パネル部１７と、内側パネル部１６を透過する光に対して、自身の透過率と反射率とを変化可能な構成とされる調光部材２０と、を有し、少なくとも内側パネル部１６及び外側パネル部１７のうちいずれか一方には、調光部材２０が貼設されている。
【００４８】
このような加飾パネル１０によると、調光部材２０の透過率と反射率とを変化させることで、加飾パネル１０から車室内側に出射する光を複数のパターンに変化させることができる。例えば、調光部材２０の透過率の変化により、内側パネル部１６と外側パネル部１７との間に取り込む光を調整することができ、調光部材２０の反射率の変化により、光が反射する位置（内側パネル部１６側か外側パネル部１７側か）を調整することができる。そして、当該光が段階的に明るく（又は暗く）なるように調光（グラデーション）することができたり、昼夜間や緊急時に見栄えを変えたりすることができる。即ち、時間や状況によって意匠を変化させることができる。
【００４９】
また、本実施形態では、内側パネル部１６及び外側パネル部１７には、調光部材２０が車室内外方向において重なる位置で貼設されている。
【００５０】
このような加飾パネル１０によると、重ねて貼設された調光部材２０の透過率と反射率とをそれぞれ変化させることができる。従って、内側パネル部１６を透過する光を、内側パネル部１６側又は外側パネル部１７側で任意に反射させることができたり、内側パネル部１６を透過する光を、内側パネル部１６と外側パネル部１７との間で複数回反射させたりすることができる。これにより、立体的で奥行き感のある照明態様を実現することができる。
【００５１】
また、本実施形態では、内側パネル部１６を透過する光を反射させる反射部材３０を有し、外側パネル部１７には、その板面方向において反射部材３０と調光部材２０とが交互に貼設されている。
【００５２】
このような加飾パネル１０によると、調光部材２０の反射率を低くした場合であっても、反射部材３０によって内側パネル部１６を透過する光を反射させることができる。これにより、比較的厚みが小さい加飾パネル１０であっても、立体的で奥行き感のある照明態様を実現することができる。また、外側パネル部１７には、その板面方向において反射部材３０と調光部材２０とが交互に貼設されているので、加飾パネル１０で演出できる模様のバリエーションを増やすことができる。
【００５３】
また、本実施形態では、調光部材２０は、調光極２１と、調光極２１に対向して配された対向極２２と、少なくとも銀イオンを含む液状の電解質を有し、調光極２１と対向極２２とが接触した銀メッキ浴部２３と、を備え、通電による調光極２１における銀被膜の可逆的な形成及び溶出によって、自身の透過率と反射率とを変化可能な構成とされる。
【００５４】
このような構成によると、通電による調光極２１における銀被膜の可逆的な形成及び溶出により、透過率と反射率とを変化可能な調光部材２０を備える実用的な車両の内装材（加飾パネル１０）を提供することができる。
【００５５】
＜実施形態２＞
次に、本発明の実施形態２を図５によって説明する。本実施形態では、実施形態１とは加飾部の構成が異なる加飾パネル１１０を例示する。なお、本実施形態では、上記実施形態と同じ部位には、同一の符号を用い、構造、作用及び効果について重複する説明は省略する。
【００５６】
加飾パネル１１０における加飾部１１２は、内側パネル部１６の内側面の全面に亘って貼設された調光部材１２０と、外側パネル部１７の内側面の全面に亘って貼設された反射部材１３０と、を有する。調光部材１２０と反射部材１３０とは、それぞれが対向するように、車室内外方向において重なる位置で貼設されている。
【００５７】
続いて、本実施形態の効果について説明する。本実施形態における加飾パネル１１０は、内側パネル部１６を透過する光を反射させる反射部材１３０を有し、内側パネル部１６には、調光部材１２０が貼設され、外側パネル部１７には、反射部材１３０が貼設されている。
【００５８】
このような加飾パネル１１０によると、内側パネル部１６に貼設された調光部材１２０において、透過率を高く、反射率を低くした場合は、反射部材１３０によって内側パネル部１６を透過する光を車室内側へ反射させることができ、透過率を低く、反射率を高くした場合は、当該調光部材１２０によって内側パネル部１６を透過する光を車室内側へ反射させることができる。これにより、内側パネル部１６に貼設された調光部材１２０の透過率と反射率とを変化させるだけで、立体的で奥行き感のある照明態様を実現することができる。
【００５９】
＜実施形態３＞
次に、本発明の実施形態３を図６によって説明する。本実施形態では、上記実施形態とは加飾部の構成が異なる加飾パネル２１０を例示する。なお、本実施形態では、上記実施形態と同じ部位には、同一の符号を用い、構造、作用及び効果について重複する説明は省略する。
【００６０】
加飾パネル２１０における加飾部２１２は、外側パネル部１７の内側面において、所定間隔にて交互に貼設された複数の調光部材２２０と、複数の反射部材２３０とを有する。なお、内側パネル部１６の内側面には、調光部材や反射部材は貼設されていない。これにより、外側パネル部１７に貼設された調光部材２２０の透過率と反射率とを変化させるだけで、立体的で奥行き感のある照明態様を実現することができる。
【００６１】
＜変形例１＞
次に、本発明の変形例１を図７によって説明する。本実施形態では、上記実施形態とは加飾部の形状が異なる加飾パネル３１０を例示する。なお、本実施形態では、上記実施形態と構造、作用及び効果について重複する説明は省略する。
【００６２】
加飾パネル３１０における加飾部３１２は、光を透過可能な板状の内側パネル部３１６と、内側パネル部３１６の車室外側に対向して配された板状の外側パネル部３１７と、によって構成される２重構造をなし、調光部材２０や反射部材３０を内包する断面視台形状のハウジング部材とされている。内側パネル部３１６は、上下方向における中央の部分３１３に向かうほど車室内側に膨出した形をなしている。外側パネル部３１７は、上下方向に延在した形をなしている。
【００６３】
＜変形例２＞
次に、本発明の変形例２を図８によって説明する。本実施形態では、上記実施形態とは加飾部の形状が異なる加飾パネル４１０を例示する。なお、本実施形態では、上記実施形態と構造、作用及び効果について重複する説明は省略する。
【００６４】
加飾パネル４１０における加飾部４１２は、光を透過可能な板状の内側パネル部４１６と、内側パネル部４１６の車室外側に対向して配された板状の外側パネル部４１７と、によって構成される２重構造をなし、調光部材２０や反射部材３０を内包する断面視五角形状のハウジング部材とされる。内側パネル部４１６は、上下方向に延在した形をなしている。外側パネル部４１７は、上下方向における中央の部分４１３に向かうほど車室内側に窪んだ形をなしている。
【００６５】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００６６】
（１）上記実施形態及び変形例以外にも、加飾部の構成は適宜変更可能である。上記実施形態及び変形例では、加飾部は、反射部材を有するものとしたが、これに限られない。例えば、加飾部は、内側パネル部の内側面の全面及び外側パネル部の内側面の全面に亘ってそれぞれが対向するように貼設された調光部材を有し、反射部材を有さないものとしてもよい。また、加飾部は、外側パネル部の内側面にのみ、その全面に亘って貼設された調光部材を有するものとしてもよい。
【００６７】
（２）上記実施形態及び変形例以外にも、外側パネル部における調光部材及び反射部材が貼設される面は適宜変更可能である。例えば、調光部材及び反射部材は、外側パネル部の外側面（車室外側の面）に貼設されていてもよい。尚、その場合、外側パネル部は、内側パネル部と同様に光を透過可能な部材とされる。
【００６８】
（３）上記実施形態１では、図２に示すように、調光部材２０及び反射部材３０は、車室内側から視た場合、加飾パネル１０の形状に倣うように、車室前方に向かうほど車室内側に曲がった複数のストライプ状をなすものとしたが、これに限られない。例えば、調光部材２０及び反射部材３０は、車室内側から視た場合、ドット柄や市松模様をなすように配設されていてもよい。
（４）上記実施形態では、加飾パネルは、ドアトリムに取り付けられるものとしたが、これに限られない。例えば、加飾パネルは、インストルメントパネル、ルーフトリム、フロアマット、ピラートリム等に取り付けられるものであってもよい。
【００６９】
（５）上記実施形態及び変形例で例示した加飾パネルは、車両用に提供されるもの限られず、種々の乗物において提供されるものであってもよい。例えば、地上の乗物としての列車や遊戯用車両、飛行用乗物としての飛行機やヘリコプター、海上や海中用乗物としての船舶や潜水艇などの乗物についても上記加飾パネルを適用することができる。
【符号の説明】
【００７０】
１…車両（乗物）、３…ドアトリム、１０，１１０，２１０，３１０，４１０…加飾パネル、１２，１１２，２１２，３１２，４１２…加飾部、１６，３１６，４１６…内側パネル部、１７，３１７，４１７…外側パネル部、２０，１２０，２２０，…調光部材、２１…調光極、２２…対向極、２３…銀メッキ浴部、３０，１３０，２３０…反射部材
【図１】
2020093682.tif 000004
【図２】
2020093682.tif 000005
【図３】
2020093682.tif 000006
【図４】
2020093682.tif 000007
【図５】
2020093682.tif 000008
【図６】
2020093682.tif 000009
【図７】
2020093682.tif 000010
【図８】
2020093682.tif 000011